(57)【要約】【課題】循環アダプタから吐出される湯の循環アダプタの内部への戻りを抑制することができる循環アダプタ用フィルタを提供する。【解決手段】本発明の一態様に係る循環アダプタ用フィルタは、第１側壁と、第１側壁に連なり、かつ開口が設けられた第１底壁とを有する第１ガイド部材と、第２側壁と、第２側壁に連なる第２側壁とを有する第２ガイド部材と、フィルタ部材とを備える。第２ガイド部材は、第２側壁の外周面が第１側壁の内周面と対向するように、第１ガイド部材に取り付けられる。フィルタ部材は、開口を覆い、かつ、第１側壁と第２側壁とにより挟み込まれるように配置される。第１側壁には、第１吐出口が設けられる。第２側壁には、第２吐出口が設けられる。側面視において、第２吐出口の縁は、全周にわたって、第１吐出口の縁よりも内側に位置する。【選択図】図１
2019055389.tif 000002
【特許請求の範囲】
【請求項１】
筒状の第１側壁と、前記第１側壁に連なり、かつ開口が設けられた第１底壁とを有する第１ガイド部材と、
筒状の第２側壁と、前記第２側壁に連なる第２底壁とを有する第２ガイド部材と、
平板形状のフィルタ部材とを備え、
前記第２ガイド部材は、前記第２側壁の外周面が前記第１側壁の内周面と対向するように前記第１ガイド部材に取り付けられ、
前記フィルタ部材は、前記開口を覆い、かつ前記第１底壁と前記第２底壁とにより挟み込まれるように配置され、
前記第１側壁には、前記第１側壁の内周面から前記第１側壁の外周面に向かって前記第１側壁を貫通する第１吐出口が設けられ、
前記第２側壁には、前記第２側壁の内周面から前記第２側壁の外周面に向かって前記第２側壁を貫通する第２吐出口が設けられ、
側面視において、前記第２吐出口の縁は、全周にわたって、前記第１吐出口の縁よりも内側に位置する、循環アダプタ用フィルタ。
【請求項２】
前記第１側壁の内周面及び前記第２側壁の外周面の一方には、第１凹部が設けられ、
前記第１側壁の内周面及び前記第２側壁の外周面の他方には、前記第１凹部と周方向において係合する第１凸部が設けられる、請求項１に記載の循環アダプタ用フィルタ。
【請求項３】
前記第１凹部の周方向における幅と前記第１凸部の周方向における幅との差は、前記第１吐出口の周方向における幅と前記第２吐出口の周方向における幅との差よりも小さい、請求項２に記載の循環アダプタ用フィルタ。
【請求項４】
前記第１側壁の内周面及び前記第２側壁の外周面の一方には、第２凹部が設けられ、
前記第１側壁の内周面及び前記第２側壁の外周面の他方には、前記第２凹部とスラスト方向において係合する第２凸部が設けられる、請求項２又は３に記載の循環アダプタ用フィルタ。
【請求項５】
前記第２凹部のスラスト方向における幅と前記第２凸部のスラスト方向における幅の差は、前記第１吐出口のスラスト方向における幅と前記第２吐出口のスラスト方向における幅の差よりも小さい、請求項４に記載の循環アダプタ用フィルタ。
【請求項６】
前記第１凸部は、前記第２側壁の外周面に設けられ、
前記第２側壁は、前記第２底壁側にある第３端と、前記第３端の反対側の端である第４端とを有し、
前記第１凸部の前記第３端側の端は、前記第２凸部の前記第３端側の端よりも前記第４端に近い位置にある、請求項４又は５に記載の循環アダプタ用フィルタ。
【請求項７】
前記第２凸部は、前記第２側壁の外周面に設けられ、
前記第２側壁は、前記第２底壁側にある第３端と、前記第３端の反対側の端である第４端とを有し、
前記第２凸部の前記第３端側の端と前記第２側壁の外周面とがなす角度は、前記第２凸部の前記第４端側の端と前記第２側壁の外周面とがなす角度よりも小さい、請求項４又は５に記載の循環アダプタ用フィルタ。
【請求項８】
前記第２凸部は、前記第２側壁の外周面に設けられ、
前記第１側壁は、前記第１底壁側にある第１端と、前記第１端の反対側の端である第２端を有し、
前記第１側壁の前記第２端にある内周面側の角は丸まっている、請求項４〜６のいずれか１項に記載の循環アダプタ用フィルタ。
【請求項９】
請求項１〜８のいずれか１項に記載の前記循環アダプタ用フィルタを有する循環アダプタを備える、温水装置。
【発明の詳細な説明】
【技術分野】
【０００１】
本発明は、循環アダプタ用フィルタ及び温水装置に関する。
【背景技術】
【０００２】
従来から、特開平９−２５３４２５号公報（特許文献１）に記載のフィルタキャップが知られている。特許文献１に記載のフィルタキャップは、フィルタ本体と、フィルタカバーと、フィルタとを有している。フィルタ本体及びフィルタカバーは、筒状の形状を有している。フィルタは、平板形状を有しており、かつ、厚さ方向に沿って貫通孔を有している。フィルタ本体には、フィルタカバーが外嵌されている。フィルタは、フィルタ本体とフィルタカバーとに挟み込まれるように配置されている。
【０００３】
フィルタ本体には、第１開口部が設けられている。第１開口部は、フィルタ本体の内周面から外周面に向かう方向に、フィルタ本体を貫通している。フィルタカバーには、第２開口部が設けられている。第２開口部は、フィルタカバーの内周面から外周面に向かう方向に、フィルタカバーを貫通している。第１開口部及び第２開口部は、フィルタ本体にフィルタカバーが外嵌された状態で、側面視において重なる位置に配置されている。
【先行技術文献】
【特許文献】
【０００４】
【特許文献１】特開平９−２５３４２５号公報
【発明の概要】
【発明が解決しようとする課題】
【０００５】
特許文献１に記載のフィルタキャップを含む循環アダプタを有している給湯装置においては、例えば追い焚き時に、第１開口部及び第２開口部を介して、循環アダプタから浴槽へと湯が吐出される。第１開口部が第２開口部よりも大きい場合、第１開口部及び第２開口部から吐出される湯の一部が、フィルタキャップの内周面において跳ね返り、循環アダプタの内部に戻ってしまう（ショートサイクル現象）。フィルタキャップの内周面において跳ね返り、循環アダプタの内部に戻った湯は、浴槽から吸い込まれる湯水に混入する。その結果、浴槽から吸い込まれる湯水の温度が上昇し、追い焚きが完了していないにもかかわらず、追い焚きが完了したとの誤検知が起こるおそれがある。
【０００６】
本発明は、上記のような従来技術の問題点に鑑みてなされたものである。より具体的には、本発明は、循環アダプタから吐出される湯の循環アダプタの内部への戻りを抑制することができる循環アダプタ用フィルタを提供する。
【課題を解決するための手段】
【０００７】
本発明の一態様に係る循環アダプタ用フィルタは、筒状の第１側壁と、第１側壁に連なり、かつ開口が設けられた第１底壁とを有する第１ガイド部材と、筒状の第２側壁と、第２側壁に連なる第２側壁とを有する第２ガイド部材と、平板形状のフィルタ部材とを備える。第２ガイド部材は、第２側壁の外周面が第１側壁の内周面と対向するように、第１ガイド部材に取り付けられる。フィルタ部材は、開口を覆い、かつ第１底壁と第２底壁とにより挟み込まれるように配置される。第１側壁には、第１側壁の内周面から第１側壁の外周面に向かって第１側壁を貫通する第１吐出口が設けられる。第２側壁には、第２側壁の内周面から第２側壁の外周面に向かって第２側壁を貫通する第２吐出口が設けられる。側面視において、第２吐出口の縁は、全周にわたって、第１吐出口の縁よりも内側に位置する。
【０００８】
本発明の一態様に係る循環アダプタ用フィルタにおいては、例えば追い焚き時に、第１吐出口及び第２吐出口を介して、湯が吐出される。本発明の一態様に係る循環アダプタ用フィルタにおいては、第２吐出口の縁は、側面視において第１吐出口の縁よりも内側に位置しているため、吐出される湯は、第２吐出口を通過する際に、第１ガイド部材の内周面で跳ね返りにくい。そのため、本発明の一態様に係る循環アダプタ用フィルタによると、循環アダプタから吐出される湯の循環アダプタの内部への戻りを抑制することができる。
【０００９】
上記の循環アダプタ用フィルタにおいて、第１側壁の内周面及び第２側壁の外周面の一方には、第１凹部が設けられていてもよい。上記の循環アダプタ用フィルタにおいて、第１側壁の内周面及び第２側壁の外周面の他方には、第１凹部と周方向において係合する第１凸部が設けられていてもよい。
【００１０】
この場合には、第１凹部と第１凸部とが係合することにより、第１ガイド部材の第２ガイド部材に対する周方向における相対的な回転が抑制される。そのため、第２吐出口の縁が側面視において第１吐出口の縁よりも内側に位置している状態が維持されやすくなり、循環アダプタから吐出される湯の循環アダプタの内部への戻りをさらに抑制することができる。
【００１１】
上記の循環アダプタ用フィルタにおいて、第１凹部の周方向における幅と第１凸部の周方向における幅との差は、第１吐出口の周方向における幅と第２吐出口の周方向における幅との差よりも小さくてもよい。
【００１２】
この場合には、第１ガイド部材が第２ガイド部材に対して周方向に最大限に回転したとしても、第２吐出口の縁が側面視において第１吐出口の縁よりも内側に位置している状態が維持される。そのため、この場合には、循環アダプタから吐出される湯の循環アダプタの内部への戻りをさらに抑制することができる。
【００１３】
上記の循環アダプタ用フィルタにおいて、第１側壁の内周面及び第２側壁の外周面の一方には、第２凹部が設けられていてもよい。上記の循環アダプタ用フィルタにおいて、第１側壁の内周面及び第２側壁の外周面の他方には、第２凹部とスラスト方向において係合する第２凸部が設けられていてもよい。
【００１４】
この場合には、第２凹部と第２凸部とが係合することにより、第１ガイド部材の第２ガイド部材に対するスラスト方向における相対的な移動が抑制される。そのため、第２吐出口の縁が側面視において第１吐出口の縁よりも内側に位置している状態が維持されやすくなり、循環アダプタから吐出される湯の循環アダプタの内部への戻りをさらに抑制することができる。
【００１５】
上記の循環アダプタ用フィルタにおいて、第２凹部のスラスト方向における幅と第２凸部のスラスト方向における幅の差は、第１吐出口のスラスト方向における幅と第２吐出口のスラスト方向における幅の差よりも小さくてもよい。
【００１６】
この場合には、第１ガイド部材が第２ガイド部材に対してスラスト方向に最大限に移動したとしても、第２吐出口の縁が側面視において第１吐出口の縁よりも内側に位置している状態が維持される。そのため、この場合には、循環アダプタから吐出される湯の循環アダプタの内部への戻りをさらに抑制することができる。
【００１７】
上記の循環アダプタ用フィルタにおいて、第１凸部は、第２側壁の外周面に設けられていてもよい。第２側壁は、第２底壁側にある第３端と、第３端の反対側の端である第４端とを有していてもよい。第１凸部の第３端側の端は、第２凸部の第３端側の端よりも第３端に近い位置にあってもよい。
【００１８】
この場合には、第１ガイド部材が第２ガイド部材に取り付けられる際に、まずは第１凹部と第１凸部とが係合することにより、周方向の相対的な回転が抑制される。その後、第２凹部と第２凸部とが係合されることになる。そのため、この場合には、第２凹部と第２凸部とを係合させる際の位置決めが容易になり、循環アダプタ用フィルタの組立性が改善される。
【００１９】
上記の循環アダプタ用フィルタにおいて、第２凸部は、第２側壁の外周面に設けられていてもよい。第２側壁は、第２底壁側にある第３端と、第３端の反対側の端である第４端とを有していてもよい。第２凸部の第３端側の端と第２側壁の外周面とがなす角度は、第２凸部の第４端側の端と第２側壁の外周面とがなす角度よりも小さくてもよい。
【００２０】
この場合には、第１側壁の内周面が第１端からその反対側の端に向かって第２凸部に沿って摺動しやすくなるため、第１ガイド部材の第２ガイド部材に対する組み付けが容易になる。また、この場合には、第１ガイド部材が第２ガイド部材に組み付けられた後において、第１側壁が第１端の反対側の端から第１端に向かって第２凸部に沿って摺動しにくいため、第１ガイド部材が第２ガイド部材から外れにくくなる。
【００２１】
上記の循環アダプタ用フィルタにおいて、第２凸部は、第２側壁の外周面に設けられていてもよい。第１ガイド部材は、第１底壁側にある第１端と、第１端の反対側の端である第２端を有していてもよい。第１ガイド部材の第２端にある内周面側の角は丸まっていてもよい。
【００２２】
この場合には、第１側壁が第１端から第２端に向かって第２ガイド部材の外周面に沿って摺動しやすくなるため、第１ガイド部材の第２ガイド部材に対する組み付けが容易になる。
【００２３】
本発明の一態様に係る温水装置は、上記の循環アダプタ用フィルタを有する循環アダプタを備える。
【発明の効果】
【００２４】
本発明の一態様に係る循環アダプタ用フィルタ及び温水装置によると、循環アダプタから吐出される湯の循環アダプタの内部への戻りを抑制することができる。
【図面の簡単な説明】
【００２５】
【図１】実施形態１に係る循環アダプタ用フィルタ１０の分解斜視図である。
【図２】実施形態１に係る循環アダプタ用フィルタ１０の側面図である。
【図３】図２のＩＩＩ−ＩＩＩにおける断面図である。
【図４】実施形態１に係る循環アダプタ用フィルタ１０における第１ガイド部材１の側面図である。
【図５】図４のＶ−Ｖにおける断面図である。
【図６】実施形態１に係る循環アダプタ用フィルタ１０における第２ガイド部材２の側面図である。
【図７】実施形態１に係る循環アダプタ用フィルタ１０における第２ガイド部材２の底面図である。
【図８】図４のＶＩＩＩ−ＶＩＩＩにおける断面図である。
【図９】第２凸部２１ｄ近傍における実施形態１に係る循環アダプタ用フィルタ１０の断面図である。
【図１０】比較例に係る循環アダプタ用フィルタ２０における湯の流れを示す模式図である。
【図１１】実施形態１に係る循環アダプタ用フィルタ１０における湯の流れを示す模式図である。
【図１２】実施形態２に係る循環アダプタ用フィルタ３０の分解斜視図である。
【図１３】実施形態２に係る循環アダプタ用フィルタ３０の側面図である。
【図１４】実施形態３に係る給湯装置４０の模式図である。
【発明を実施するための形態】
【００２６】
本発明の実施形態を、図面を参照して説明する。以下の図面においては、同一又は相当する部分に同一の参照番号を付し、その説明は繰り返さないものとする。
【００２７】
（実施形態１に係る循環アダプタ用フィルタ１０の構成）
以下に、実施形態１に係る循環アダプタ用フィルタ１０の構成を、図１〜９を参照して説明する。図１に示すように、循環アダプタ用フィルタ１０は、第１ガイド部材１と、第２ガイド部材２と、フィルタ部材３とを有している。
【００２８】
第１ガイド部材１は、側壁１１と、底壁１２とを有している。側壁１１は、筒状の形状を有している。好ましくは、側壁１１は、円筒形状を有している。側壁１１は、第１端１１ａと、第２端１１ｂとを有している。第２端１１ｂは、第１端１１ａの反対側の端である。底壁１２は、好ましくは、平面視において、円形形状を有している。底壁１２は、第１端１１ａ側において、側壁１１に連なっている。底壁１２には、開口１２ａが設けられている。第１ガイド部材１は、例えば樹脂材料により形成されている。
【００２９】
第１ガイド部材１には、第１吐出口１３が設けられている。第１吐出口１３は、側壁１１に設けられている。第１吐出口１３は、側壁１１の内周面から外周面に向かう方向に側壁１１を貫通している。第１吐出口１３の数は、複数であってもよい。好ましくは、第１吐出口１３は、側面視において、長方形形状を有している。側面視とは、側壁１１に直交する方向をいう。
【００３０】
第２ガイド部材２は、側壁２１と、底壁２２とを有している。側壁２１は、筒状の形状を有している。好ましくは、側壁２１は、円筒形状を有している。側壁２１は、第３端２１ａと、第４端２１ｂとを有している。第４端２１ｂは、第３端２１ａの反対側の端である。底壁２２は、第３端２１ａ側において、側壁２１に連なっている。底壁２２には、湯水が通過可能な開口が複数設けられている。第２ガイド部材２は、例えば樹脂材料により形成されている。
【００３１】
第２ガイド部材２には、第２吐出口２３が設けられている。第２吐出口２３は、側壁２１に設けられている。第２吐出口２３は、側壁２１の内周面から外周面に向かう方向に側壁２１を貫通している。第２吐出口２３の数は、複数であってもよい。好ましくは、第２吐出口２３は、側面視において、長方形形状を有している。
【００３２】
第２ガイド部材２は、側壁２１の外周面と側壁１１の内周面とが対向するように、第１ガイド部材１に取り付けられている。すなわち、第１ガイド部材１は、第２ガイド部材２に外嵌されている。
【００３３】
図２及び３に示すように、第２ガイド部材２は、第２吐出口２３の縁が第１吐出口１３の縁よりも内側に位置するように、第１ガイド部材１に取り付けられている。より具体的には、第２吐出口２３の縁が、側面視において、全周にわたって、第１吐出口１３の縁よりも内側に位置している。第１吐出口１３は、周方向において、幅Ｗ１を有している。第１吐出口１３は、スラスト方向において、幅Ｗ２を有している。スラスト方向とは、第１端１１ａから第２端１１ｂに向かう方向（又は第３端２１ａから第４端２１ｂに向かう方向）である。
【００３４】
第２吐出口２３は、周方向において、幅Ｗ３を有している。第２吐出口２３は、スラスト方向において、幅Ｗ４を有している。幅Ｗ１は、幅Ｗ３よりも大きい。幅Ｗ２は、幅Ｗ４よりも大きい。
【００３５】
フィルタ部材３は、平板形状を有している。好ましくは、フィルタ部材３は、平面視において、円形形状を有している。フィルタ部材３は、第１面３ａと、第２面３ｂとを有している。第１面３ａは、フィルタ部材３の一方の主面である。第２面３ｂは、第１面３ａの反対面である。フィルタ部材３には、貫通孔３ｃが設けられている。貫通孔３ｃは、厚さ方向に沿って（第１面３ａから第２面３ｂに向かう方向に沿って）、フィルタ部材３を貫通している。貫通孔３ｃの数は、複数である。貫通孔３ｃは、平面視において、例えば同心円状に配置されている。但し、貫通孔３ｃの配列は、これに限られるものではない。
【００３６】
フィルタ部材３は、開口１２ａを覆うように配置されている。フィルタ部材３は、底壁１２と底壁２２とにより挟み込まれている。フィルタ部材３は、好ましくは、耐食性及び耐摩耗性を有する金属材料により形成されている。フィルタ部材３に用いられる材料は、例えばステンレス鋼である。フィルタ部材３に用いられる材料は、好ましくは、オーステナイト系のステンレス鋼である。
【００３７】
図４〜７に示すように、側壁１１の内周面には、第１凹部１１ｃが設けられており、側壁２１の外周面には、第１凸部２１ｃが設けられている。第１凹部１１ｃにおいて、側壁１１の内周面は、窪んでいる。第１凸部２１ｃにおいて、側壁２１の外周面は、隆起している。第１凹部１１ｃの第２端１１ｂ側の端は、第２端１１ｂに達しており、第１凸部２１ｃの第４端２１ｂ側の端は、第４端２１ｂに達している。
【００３８】
第１凹部１１ｃは、側壁２１の外周面に設けられていてもよい。この場合、側壁２１の外周面は、第１凹部１１ｃにおいて、窪んでいる。また、第１凸部２１ｃは、側壁１１の内周面に設けられていてもよい。この場合、側壁１１の内周面は、第１凸部２１ｃにおいて、隆起している。
【００３９】
要するに、第１凹部１１ｃは、側壁１１の内周面及び側壁２１の外周面の一方に設けられていればよく、第１凸部２１ｃは、側壁１１の内周面及び側壁２１の外周面の他方に設けられていればよい。
【００４０】
第１凹部１１ｃと第１凸部２１ｃとは、周方向において互いに係合するように配置されている。第１凹部１１ｃは、周方向において、幅Ｗ５を有している。第１凸部２１ｃは、周方向において、幅Ｗ６を有している。幅Ｗ６は、幅Ｗ５よりも小さい。幅Ｗ５と幅Ｗ６との差は、幅Ｗ１と幅Ｗ３の差よりも小さいことが好ましい。
【００４１】
図４、６及び７〜９に示すように、側壁１１の内周面には、第２凹部１１ｄが設けられており、側壁２１の外周面には、第２凸部２１ｄが設けられている。第２凹部１１ｄにおいて、側壁１１の内周面は窪んでいる。第２凸部２１ｄにおいて、側壁２１の外周面は隆起している。第２凹部１１ｄの第２端１１ｂ側の端は、第２端１１ｂから離間しており、第２凸部２１ｄの第４端２１ｂ側の端は、第４端２１ｂから離間している。
【００４２】
第２凹部１１ｄは、側壁２１の外周面に設けられていてもよい。この場合、側壁２１の外周面は、第２凹部１１ｄにおいて、窪んでいる。また、第２凸部２１ｄは、側壁１１の内周面に設けられていてもよい。この場合、側壁１１の内周面は、第２凹部１１ｄにおいて、隆起している。第２凹部１１ｄと第２凸部２１ｄとは、スラスト方向において互いに係合するように配置されている。第２凹部１１ｄは、スラスト方向において、幅Ｗ７を有している。第２凸部２１ｄは、スラスト方向において、幅Ｗ８を有している。幅Ｗ８は、幅Ｗ７よりも小さい。幅Ｗ７と幅Ｗ８との差は、幅Ｗ２と幅Ｗ４の差よりも小さいことが好ましい。
【００４３】
要するに、第２凹部１１ｄは、側壁１１の内周面及び側壁２１の外周面の一方に設けられていればよく、第２凸部２１ｄは、側壁１１の内周面及び側壁２１の外周面の他方に設けられていればよい。
【００４４】
図６に示すように、第１凸部２１ｃの第３端２１ａ側の端と第４端２１ｂとの距離Ｌ１は、第２凸部２１ｄの第３端２１ａ側の端との距離Ｌ２によりも大きいことが好ましい。すなわち、第１凸部２１ｃの第１端１１ａ側の端は、第２凸部２１ｄの第１端１１ａ側の端よりも、第１端１１ａに近い位置にあることが好ましい。
【００４５】
図９に示すように、第２凸部２１ｄと側壁２１の外周面とは、第２凸部２１ｄの第３端２１ａ側の端において角度θ１をなしている。第２凸部２１ｄと側壁２１の外周面とは、第２凸部２１ｄの第４端２１ｂ側の端において角度θ２をなしている。角度θ１は、角度θ２よりも小さいことが好ましい。
【００４６】
第２端１１ｂにある側壁１１の内周面側の角は、丸まっていることが好ましい。このことを別の観点からいえば、側壁１１の内周面は、第２端１１ｂに近づくにつれて、側壁２１の外周面から離れ、かつ第１端１１ａから第２端１１ｂに向かう方向となす角度が大きくなるように湾曲していることが好ましい。
【００４７】
（実施形態１に係る循環アダプタ用フィルタ１０の組立方法）
以下に、循環アダプタ用フィルタ１０の組立方法を説明する。
【００４８】
循環アダプタ用フィルタ１０の組立において、第１に、側壁１１の第１端１１ａ側が、側壁２１の第４端２１ｂ側に挿入される。この際、フィルタ部材３は、開口１２ａを覆うように、底壁１２と底壁２２との間に配置されている。第２に、第１ガイド部材１が、第２ガイド部材２に対して、周方向に相対的に回転されることにより、第１凹部１１ｃと第１凸部２１ｃとの位置合わせが行われる。これにより、第１凹部１１ｃと第１凸部２１ｃとが互いに周方向において係合され、第１ガイド部材１の第２ガイド部材２に対する周方向における相対的な回転が規制される。
【００４９】
第３に、側壁１１が、第１端１１ａから第２端１１ｂに向かう方向に沿って、側壁２１にさらに深く挿入される。その結果、第２凹部１１ｄと第２凸部２１ｄとがスラスト方向において互いに係合され、第１ガイド部材１の第２ガイド部材２に対するスラスト方向における相対的な移動が規制される。以上により、循環アダプタ用フィルタ１０の組立が完了する。
【００５０】
（実施形態１に係る循環アダプタ用フィルタ１０の効果）
以下に、循環アダプタ用フィルタ１０の効果を、比較例と対比しながら説明する。
【００５１】
比較例に係る循環アダプタ用フィルタ２０においては、第２ガイド部材２は、第２吐出口２３の縁が第１吐出口１３の縁よりも外側に位置するように、第１ガイド部材１に取り付けられている。この点を除き、循環アダプタ用フィルタ２０の構成は、循環アダプタ用フィルタ１０の構成と共通している。
【００５２】
追い焚き動作等を行う際に、湯が、第１吐出口１３及び第２吐出口２３から浴槽内へと吐出される。図１０に示すように、第１吐出口１３の縁が第２吐出口２３の縁よりも内側に位置している場合、第１吐出口１３及び第２吐出口２３から吐出される湯の一部は、第２吐出口２３を通過する際に、側壁１１の内周面において跳ね返り、循環アダプタ用フィルタ２０の内部に戻る。
【００５３】
すなわち、循環アダプタ用フィルタ２０を用いた循環アダプタにおいては、追い焚き動作が完了していない状態においても、側壁１１の内周面において跳ね返った温度の高い湯が循環アダプタによって吸い上げられた浴槽内の湯と混じり、吸い上げられた湯の温度が上昇する。そのため、循環アダプタ用フィルタ２０を用いた循環アダプタにおいては、追い焚き動作が実際には完了していないにもかかわらず、追い焚き動作が完了したと誤検知してしまうおそれがある。
【００５４】
他方で、循環アダプタ用フィルタ１０においては、第２吐出口２３の縁が第１吐出口１３の縁よりも内側に位置しているため、図１１に示すように、吐出される湯は、第２吐出口２３を通過する際に、側壁１１の内周面により妨げられにくい。したがって、吐出される湯の一部が循環アダプタの内部に戻りにくく、追い焚き動作が完了したとの誤検知を行いにくい。
【００５５】
循環アダプタ用フィルタ１０において、側壁１１の内周面及び側壁２１の外周面の一方に、第１凹部１１ｃが設けられ、かつ側壁１１の内周面及び側壁２１の外周面の他方に第１凸部２１ｃが設けられている場合、第１ガイド部材１の第２ガイド部材２に対する周方向における相対的な回転が抑制される。したがって、この場合には、第２吐出口２３の縁が側面視において第１吐出口１３の縁よりも内側に位置している状態が維持されやすくなり、循環アダプタから吐出される湯の循環アダプタの内部への戻りをさらに抑制することができる。
【００５６】
循環アダプタ用フィルタ１０において、幅Ｗ５と幅Ｗ６との差が、幅Ｗ１と幅Ｗ３との差よりも小さい場合、第１ガイド部材１が第２ガイド部材２に対して周方向に最大限に回転したとしても、第２吐出口２３の縁が側面視において第１吐出口１３の縁よりも内側に位置している状態が維持される。そのため、この場合には、循環アダプタから吐出される湯の循環アダプタの内部への戻りをさらに抑制することができる。
【００５７】
循環アダプタ用フィルタ１０において、側壁１１の内周面及び側壁２１の外周面の一方に第２凹部１１ｄが設けられ、かつ側壁１１の内周面及び側壁２１の外周面の他方に第２凸部２１ｄが設けられている場合、第１ガイド部材１の第２ガイド部材２に対するスラスト方向における相対的な移動が抑制される。したがって、この場合には、第２吐出口２３の縁が側面視において第１吐出口１３の縁よりも内側に位置している状態が維持されやすくなり、循環アダプタから吐出される湯の循環アダプタの内部への戻りをさらに抑制することができる。
【００５８】
循環アダプタ用フィルタ１０において、幅Ｗ７と幅Ｗ８との差が幅Ｗ２と幅Ｗ４との差よりも小さい場合、第１ガイド部材１が第２ガイド部材２に対してスラスト方向に最大限に移動したとしても、第２吐出口２３の縁が側面視において第１吐出口１３の縁よりも内側に位置している状態が維持される。そのため、この場合には、循環アダプタから吐出される湯の循環アダプタの内部への戻りをさらに抑制することができる。
【００５９】
循環アダプタ用フィルタ１０において、距離Ｌ１が距離Ｌ２よりも大きい場合には、第１ガイド部材１が第２ガイド部材２に取り付けられる際に、まずは第１凹部１１ｃと第１凸部２１ｃとが係合することにより、周方向の相対的な回転が抑制される。その後、第２凹部１１ｄと第２凸部２１ｄとが係合されることになる。そのため、この場合には、第２凹部１１ｄと第２凸部２１ｄとを係合させる際の位置決めが容易になり、循環アダプタ用フィルタ１０の組立性が改善される。
【００６０】
循環アダプタ用フィルタ１０において、角度θ１が角度θ２よりも小さい場合、側壁１１の内周面が第１端１１ａから第２端１１ｂに向かって第２凸部２１ｄに沿って摺動しやすくなる。そのため、第１ガイド部材１の第２ガイド部材２に対する組み付けが容易になる。さらに、この場合には、第１ガイド部材１が第２ガイド部材２に組み付けられた後において、側壁１１の内周面が第２端１１ｂから第１端１１ａに向かって第２凸部２１ｄに沿って摺動しにくい。そのため、第１ガイド部材１が第２ガイド部材２から外れにくくなる。
【００６１】
循環アダプタ用フィルタ１０において、側壁１１の第２端１１ｂにある内周面側の角が丸まっている場合には、側壁１１の内周面が第１端１１ａから第２端１１ｂに向かって第２凸部２１ｄに沿って摺動しやすくなる。そのため、この場合には、第１ガイド部材１の第２ガイド部材２に対する組み付けが容易になる。
【００６２】
（実施形態２に係る循環アダプタ用フィルタ３０の構成）
以下に、実施形態２に係る循環アダプタ用フィルタ３０を、図１２及び１３を参照して説明する。以下においては、循環アダプタ用フィルタ１０との相違点を主に説明し、重複する説明は繰り返さない。
【００６３】
図１３に示すように、循環アダプタ用フィルタ３０は、フィルタ３１と、仕切部材３２とを有している。フィルタ３１は、有底筒形状を有している。具体的には、フィルタ３１は、側壁３１ａと、底壁３１ｂとを有している。側壁３１ａは、例えば円筒形状を有している。側壁３１ａには、第１吐出口３１ｃが設けられている。第１吐出口３１ｃは、側壁３１ａの内周面から外周面に向かう方向に、側壁３１ａを貫通している。底壁３１ｂは、側壁３１ａに連なっている。底壁３１ｂには、複数の貫通孔３１ｄが設けられており、貫通孔３１ｄの各々は、底壁３１ｂを厚さ方向に貫通している。
【００６４】
仕切部材３２は、上面３２ａと、側面３２ｂとを有している。仕切部材３２には、吸入口３２ｃと、第２吐出口３２ｄとが設けられている。吸入口３２ｃは、上面３２ａに配置されている。第２吐出口３２ｄは、側面３２ｂに配置されている。仕切部材３２は、管状部３２ｅを有している。吸入口３２ｃは、仕切部材３２の内部において、管状部３２ｅに連結されている。吸入口３２ｃから吸入された湯水は、管状部３２ｅを介して、循環アダプタの外部に排出される。
【００６５】
フィルタ３１は、側壁３１ａの外周面が側面３２ｂと対向するように、仕切部材３２に取り付けられている。より具体的には、フィルタ３１は、図１３に示すように、側面視において、第１吐出口３１ｃの縁が、第２吐出口３２ｄの縁よりも内側に位置するように、仕切部材３２に取り付けられる。
【００６６】
そのため、第１吐出口３１ｃ及び第２吐出口３２ｄを介して吐出される湯は、第２吐出口３２ｄを通過する際に、側壁３１ａの内周面により妨げられにくい。したがって、吐出される湯の一部が循環アダプタ用フィルタ３０の内部に戻りにくく、追い焚き動作が完了したとの誤検知を行いにくい。
【００６７】
（実施形態３に係る給湯装置の構成）
以下に、実施形態３に係る給湯装置４０の構成を、図１４を参照して説明する。
【００６８】
図１４に示すように、給湯装置４０は、循環アダプタ４１と、循環流路４２と、循環ポンプ４３を有している。
【００６９】
循環アダプタ４１は、循環アダプタ用フィルタを有している。この循環アダプタ用フィルタは、上記の実施形態１に係る循環アダプタ用フィルタ１０又は実施形態２に係る循環アダプタ用フィルタ３０である。循環アダプタ４１は、浴槽４４に取り付けられている。
【００７０】
循環流路４２は、配管４２ａと、熱交換器４２ｂと、配管４２ｃとを有している。配管４２ａの一方端は、循環アダプタ４１に接続されている。配管４２ａの他方端は、熱交換器４２ｂに接続されている。配管４２ｃの一方端は、熱交換器４２ｂに接続されている。配管４２ｃの他方端は、循環アダプタ４１に接続されている。なお、熱交換器４２ｂの近傍には、バーナ４２ｄが配置されている。
【００７１】
循環ポンプ４３は、循環流路４２上に配置されている。循環ポンプ４３により、貫通孔３ｃ（貫通孔３１ｄ）を介し、循環アダプタ４１の吸込口から、浴槽４４内の湯が、図中の矢印の方向に吸い上げられる。この際、浴槽４４内の湯に含まれるゴミは、循環アダプタ用フィルタに捕捉され、循環流路４２に混入することが防止される。この吸い上げられた湯は、配管４２ａを介して、熱交換器４２ｂに供給され、昇温される。熱交換器４２ｂにおいて昇温された湯は、配管４２ｃ、循環アダプタ４１の第１吐出口１３及び第２吐出口２３（第１吐出口３１ｃ及び第２吐出口３２ｄ）を介して、浴槽４４に戻される。
【００７２】
今回開示された実施形態は全ての点で例示であって、制限的なものではないと考えられるべきである。本発明の範囲は上記した実施の形態ではなく特許請求の範囲によって示され、特許請求の範囲と均等の意味、及び範囲内での全ての変更が含まれることが意図される。
【産業上の利用可能性】
【００７３】
上記の実施形態は、循環アダプタ用フィルタ及びそれを用いる循環アダプタを有する温水装置に特に有利に適用される。
【符号の説明】
【００７４】
１０，２０，３０  循環アダプタ用フィルタ、１  第１ガイド部材、１１  側壁、１１ａ  第１端、１１ｂ  第２端、１１ｃ  第１凹部、１１ｄ  第２凹部、１２  底壁、１２ａ  開口、１３  第１吐出口、２  第２ガイド部材、２１  側壁、２１ａ  第３端、２１ｂ  第４端、２１ｃ  第１凸部、２１ｃ  第２凸部、２２  底壁、２３  第２吐出口、３  フィルタ部材、３ａ  第１面、３ｂ  第２面、３ｃ  貫通孔、３１  フィルタ、３１ａ  側壁、３１ｂ  底壁、３１ｃ  第１吐出口、３１ｄ  貫通孔、３２  仕切部材、３２ａ  上面、３２ｂ  側面、３２ｃ  吸入口、３２ｄ  第２吐出口、３２ｅ  管状部、４０  給湯装置、４１  循環アダプタ、４２  循環流路、４２ａ，４２ｃ  配管、４２ｂ  熱交換器、４２ｄ  バーナ、４３  ポンプ、４４  浴槽、Ｌ１，Ｌ２  距離、Ｗ１，Ｗ２，Ｗ３，Ｗ４，Ｗ５，Ｗ６，Ｗ７，Ｗ８  幅、θ１，θ２  角度。
【図１】
2019055389.tif 000003
【図２】
2019055389.tif 000004
【図３】
2019055389.tif 000005
【図４】
2019055389.tif 000006
【図５】
2019055389.tif 000007
【図６】
2019055389.tif 000008
【図７】
2019055389.tif 000009
【図８】
2019055389.tif 000010
【図９】
2019055389.tif 000011
【図１０】
2019055389.tif 000012
【図１１】
2019055389.tif 000013
【図１２】
2019055389.tif 000014
【図１３】
2019055389.tif 000015
【図１４】
2019055389.tif 000016